(57)【要約】【課題】本発明は、製造効率及び搬送効率の良い部分成形コルゲートチューブの製造装置及び部分成形コルゲートチューブを提供することを目的とする。【解決手段】部分成形コルゲートチューブ製造装置１は、コルゲートチューブＣを繰り出す繰出装置３と、繰出装置３から繰り出されたコルゲートチューブＣを引き取るとともに、コルゲートチューブＣの余長を吸収する引取装置４と、コルゲートチューブＣの凹部２１に充填材を充填して部分成形部２３を形成する充填装置６と、を備えて構成されており、コルゲートチューブＣの凹部２１に充填材を充填して充填部２４を形成することにより、剛性の高い部分成形部２３を形成することができ、部分成形コルゲートチューブ２の製造効率を高めることができる。【選択図】図１
2014208403.tif 000002
【特許請求の範囲】
【請求項１】
長手方向に交互に設けられた凹部及び凸部を有するコルゲートチューブの一部に、部分成形部を形成する部分成形コルゲートチューブの製造装置であって、
前記コルゲートチューブを繰り出す繰出手段と、
前記凹部に充填材を充填して前記部分成形部を形成する充填手段と、を備えて構成されることを特徴とする部分成形コルゲートチューブ製造装置。
【請求項２】
前記繰出手段と前記充填手段との間に設けられて前記繰出手段から繰り出された前記コルゲートチューブを引き取る引取手段をさらに備え、
前記充填手段は前記繰出手段により繰り出された前記コルゲートチューブの移動を停止させて前記充填材の充填を行い、
前記引取手段は、前記繰出手段から繰り出される前記コルゲートチューブの余長を吸収することを特徴とする請求項１に記載の部分成形コルゲートチューブ製造装置。
【請求項３】
請求項１又は２に記載の部分成形コルゲートチューブ製造装置により製造された部分成形コルゲートチューブであって、
前記凹部に充填材が充填された充填部の厚さが該凹部の深さ寸法よりも薄くなるように充填されるか、前記深さ寸法と同じ厚さに充填されるか、前記深さ寸法よりも厚く充填されるか、又は、前記深さ寸法よりも厚く充填され、かつ、前記コルゲートチューブの長手方向に隣り合う前記充填部同士を連結する連結部が形成されることにより、前記部分成形部が形成されていることを特徴とする部分成形コルゲートチューブ。
【発明の詳細な説明】
【技術分野】
【０００１】
本発明は、長手方向に交互に設けられた凹部及び凸部を有するコルゲートチューブの一部に、部分成形部を形成する部分成形コルゲートチューブ製造装置、及び、この装置により製造された部分成形コルゲートチューブに関する。
【背景技術】
【０００２】
ワイヤハーネスの外装保護部材として用いられるコルゲートチューブとして、長手方向に交互に凹凸が設けられた蛇腹管部と、凹凸を有しない部分成形部と、を有した部分成形コルゲートチューブが利用されている。蛇腹管部は凹凸を有するため屈曲性が高く、部分成形部は凹凸を有しないため、蛇腹管部よりも屈曲性が低い。そのため、ワイヤハーネスの配索において、ワイヤハーネスが屈曲する箇所には蛇腹管部が用いられ、特に強度が重視される箇所には部分成形部が用いられる。
【０００３】
従来、コルゲートチューブの長手方向に部分成形部と蛇腹管部とが並べて形成された部分成形コルゲートチューブの製造方法として種々提案されている（例えば、特許文献１参照）。特許文献１に記載の部分成形コルゲートチューブの形成方法は、凹凸を有しない外装保護材のパイプに、目的の凹凸の形状を形成するための金型を備えたベンダー機を用いて蛇腹管部を形成することにより、部分成形コルゲートチューブを製造することができる。
【先行技術文献】
【特許文献】
【０００４】
【特許文献１】特開２００９−１４３３２６号公報
【発明の概要】
【発明が解決しようとする課題】
【０００５】
しかしながら、従来の部分成形コルゲートチューブ製造装置では、目的の凹凸の形状により金型を交換する必要があることなどから、製造効率が低く、また、蛇腹管部と凹凸を有しない部分成形部とが形成されているために巻取りが難しいことから、搬送効率が悪いという問題があった。
【０００６】
従って、本発明は、上記のような問題点に着目し、部分成形コルゲートチューブを製造する際の効率が良く、また、搬送効率の良い部分成形コルゲートチューブの製造装置及び部分成形コルゲートチューブを提供することを目的とする。
【課題を解決するための手段】
【０００７】
上記課題を解決するために、本発明の部分成形コルゲートチューブ製造装置は、長手方向に交互に設けられた凹部及び凸部を有するコルゲートチューブの一部に、部分成形部を形成する部分成形コルゲートチューブの製造装置であって、前記コルゲートチューブを繰り出す繰出手段と、前記凹部に充填材を充填して前記部分成形部を形成する充填手段と、を備えて構成されることを特徴とする。
【０００８】
本発明の部分成形コルゲートチューブ製造装置によれば、充填手段を用いてコルゲートチューブの凹部に充填材を充填することにより、部分成形コルゲートチューブの形状に合わせた金型等を用いることなく部分成形部を形成することができ、部分成形コルゲートチューブの製造効率を高めることができる。また、コルゲートチューブを巻取り状態にしてワイヤハーネス製造工場に搬送し、ワイヤハーネス製造ラインの近傍において、コルゲートチューブに部分成形部を形成することができる。従って、巻取り状態でワイヤハーネスを搬送することにより搬送効率が向上し、さらに、部分成形部の長さやピッチ等をワイヤハーネス製造時に適宜に設定することが可能となり、汎用のコルゲートチューブを用いて任意形状の部分成形部を形成することにより、製造コストを低減させることができる。
【０００９】
また、請求項１に記載の部分成形コルゲートチューブ製造装置において、前記繰出手段と前記充填手段との間に設けられて前記繰出手段から繰り出された前記コルゲートチューブを引き取る引取手段をさらに備え、前記充填手段は前記繰出手段により繰り出された前記コルゲートチューブの移動を停止させて前記充填材の充填を行い、前記引取手段は、前記繰出手段から繰り出される前記コルゲートチューブの余長を吸収することが好ましい。
【００１０】
このような構成によれば、引取手段が繰出手段から繰り出されたコルゲートチューブの余長を吸収することができることから、充填手段により部分成形部が形成されている間に、コルゲートチューブの繰り出しを止める必要がなく、製造効率を高めることができる。
【００１１】
本発明の部分成形コルゲートチューブは、請求項１又は２に記載の部分成形コルゲートチューブ製造装置により製造された部分成形コルゲートチューブであって、前記凹部に充填材が充填された充填部の厚さが該凹部の深さ寸法よりも薄くなるように充填されるか、前記深さ寸法と同じ厚さに充填されるか、前記深さ寸法よりも厚く充填されるか、又は、前記深さ寸法よりも厚く充填され、かつ、前記コルゲートチューブの長手方向に隣り合う前記充填部同士を連結する連結部が形成されることにより、前記部分成形部が形成されていることを特徴とする。
【００１２】
本発明の部分成形コルゲートチューブによれば、充填量が少なく、凹部における充填材の厚さが薄い部分は屈曲性が高く、充填材の厚さが厚い部分は屈曲性が低く、剛性が増す。従って、凹部への充填量が調節された部分成形コルゲートチューブであれば、剛性を調整することができ、配索時の利便性が向上する。なお、充填部の部位により、充填材の色等を変えてもよく、充填材の色等を変えることにより、ワイヤハーネスの用途別や種別による識別性を向上させることができ、利便性を高めることができる。
【発明の効果】
【００１３】
以上のような本発明の部分成形コルゲートチューブ製造装置によれば、長手方向に交互に設けられた凹部及び凸部を有するコルゲートチューブの一部に、部分成形部が形成された部分成形コルゲートチューブを製造する際に、目的の形状に合わせた金型等を用いる必要がなく、製造効率を高めることが可能となる。さらに、ワイヤハーネス工場の近傍において部分成形コルゲートチューブを製造することにより、部分成形部を形成する前のコルゲートチューブを巻取り状態にして搬送することが可能となるため、搬送効率を高めることができる。
【図面の簡単な説明】
【００１４】
【図１】本発明の一実施形態に係る部分成形コルゲートチューブ製造装置の側面図である。
【図２】前記部分成形コルゲートチューブ製造装置により製造される部分成形コルゲートチューブを示す断面図である。
【発明を実施するための形態】
【００１５】
本発明の一実施形態に係る部分成形コルゲートチューブ製造装置及び部分成形コルゲートチューブについて、図１，２を参照して説明する。本実施形態の部分成形コルゲートチューブ製造装置１は、ワイヤハーネス製造工場に設置され、長手方向に交互に設けられた凹部２１及び凸部２２を有するコルゲートチューブＣの一部に、充填材が充填された充填部２４を形成することにより、屈曲性の低い部分成形部２３が形成された部分成形コルゲートチューブ２を製造するものである。凹部２１に充填する充填材としては、モールド成形や押出成形用の樹脂材料を用いることができる。なお、本明細書において、図２（ａ）に示すように、凹部２１の深さとは、凹部２１に隣り合う凸部２２の外周面２２１から凹部２１の底面２１１までの深さとし、記号Ｄで示す。また、充填厚とは、凹部２１の底面２１１から充填部２４の外周面２４１までの厚さとし、記号ｄで示す。
【００１６】
部分成形コルゲートチューブ製造装置１は、コルゲートチューブＣを繰り出す繰出装置３と、繰出装置３から繰り出されたコルゲートチューブＣを引き取るとともに、コルゲートチューブＣの余長を吸収する引取装置４と、コルゲートチューブＣの凹部２１に充填材を充填して部分成形部２３を形成する充填装置６と、を備えて構成されている。部分成形コルゲートチューブ製造装置１において、コルゲートチューブＣは繰出装置３から図中の矢印Ｚ方向に移動して引取装置４、ローラー５を通り、充填装置６において部分成形部２３が形成される。
【００１７】
繰出装置３は、コルゲートチューブＣが巻取り状態で設置された巻取部３１を有して構成されており、巻取部３１が図中の矢印Ｗ方向に回転することによりコルゲートチューブＣが繰り出される。
【００１８】
引取装置４は、例えば、繰出装置３から繰り出されたコルゲートチューブＣを支持する支持部４１を備え、支持部４１は、コルゲートチューブＣを支持しながら、コルゲートチューブＣの移動方向（図中の矢印Ｚ方向）と直交する上下方向（図中の矢印Ｘで示す方向）に駆動される。
【００１９】
ローラー５は、引取装置４と充填装置６との間に設けられ、コルゲートチューブＣが移動方向（図中の矢印Ｚ方向）と平行になるようにコルゲートチューブＣを支持し、図中の矢印Ｙ方向に回転することにより、コルゲートチューブＣを充填装置６に向かって送り出す。
【００２０】
充填装置６は、例えば、充填材をコルゲートチューブＣの凹部２１に充填するための充填ノズル６１と、内径が充填厚ｄとほぼ同径に形成され、充填材の充填厚ｄを規定する型枠６２と、凹部２１に充填された充填材を冷却し、硬化させるための図示しない冷却手段と、を有して構成されている。
【００２１】
次に、部分成形コルゲートチューブ製造装置１の動作について図１を参照して説明する。まず、繰出装置３の巻取部３１に巻き取られたコルゲートチューブＣは、移動方向Ｚ方向に繰り出される。コルゲートチューブＣの部分成形を施す部位が引取装置４、ローラー５を通過し、充填装置６の内部まで移動すると、ローラー５の回転が停止され、移動方向ＺへのコルゲートチューブＣの移動が停止する。次に、コルゲートチューブＣの部分成形を施す部位に型枠６２が嵌められ、充填ノズル６１により、型枠６２の内部に充填材が充填される。充填された充填材は、図示しない冷却手段により冷却されることで硬化して充填部２４が形成され、部分成形部２３が形成された部分成形コルゲートチューブ２が形成される。部分成形部２３が形成されると、充填装置６からの部分成形コルゲートチューブ２の移動が再開する。
【００２２】
一方、繰出装置３は、充填装置６がコルゲートチューブＣの移動を停止している間も、コルゲートチューブＣの繰り出しを続けるが、引取装置４の支持部４１が上下方向（図中の矢印Ｘ方向）に移動することにより、繰出装置３と充填装置６との間のコルゲートチューブＣの余長が吸収される。
【００２３】
次に、部分成形コルゲートチューブ製造装置１により製造された部分成形コルゲートチューブ２について、図２を参照して説明する。図２は、部分成形コルゲートチューブ２の断面図を示す。図２（ａ）の部分成形コルゲートチューブ２には、充填厚ｄが異なる充填部２４が形成されている。即ち、充填厚ｄが凹部の深さＤよりも小さい（ｄ＜Ｄ）充填部２４である充填部２４２、充填厚ｄが凹部の深さＤと同じ（ｄ＝Ｄ）充填部２４である充填部２４３、及び、充填厚ｄが凹部の深さＤよりも大きい（ｄ＞Ｄ）充填部２４である充填部２４４が形成されている。また、図２（ｂ）の部分成形コルゲートチューブ２の部分成形部２３は、充填厚ｄが凹部の深さＤよりも大きい（ｄ＞Ｄ）充填部２４である充填部２４４と、隣り合う充填部２４４を互いに連結する連結部２５と、を有して形成されており、即ち、部分成形部２３は一体に形成されている。
【００２４】
以上のように、充填装置６により、凹部２１への充填量を変えることで、以上の４通りの部分成形部２３を形成することができる。部分成形部２３の屈曲性は、充填厚ｄが厚くなるほど低くなり、さらに、連結部２５が形成されることで、部分成形部２３の屈曲性はより低くなり、剛性が増す。
【００２５】
本実施形態によれば、充填装置６を用いてコルゲートチューブＣの凹部２１に充填材を充填することにより、目的の凹凸形状に合わせた金型を用いることなく部分成形部２３を形成することができ、部分成形コルゲートチューブ２の製造効率を高めることができる。
【００２６】
また、引取装置４の支持部４１がコルゲートチューブＣを支持した状態で上下方向Ｘに移動することにより、繰出装置３から繰り出されたコルゲートチューブＣの余長を吸収することができることから、充填装置においてコルゲートチューブＣの移動が停止しても、繰出し装置３を停止する必要がなく、製造効率を高めることができる。
【００２７】
また、凹部２１への充填量を調節して、凹部の深さＤよりも充填厚ｄが薄い充填部２４２、凹部の深さＤと充填厚ｄがほぼ同じ充填部２４３、凹部の深さＤよりも充填厚ｄが厚い充填部２４４、が形成された部分成形部２３を形成することにより、屈曲性の異なる部分成形部２３を得ることができ、さらに、凹部の深さＤよりも充填厚ｄが厚い充填部２４４で、かつ、隣り合う充填部２４４同士を連結する連結部２５を形成することにより部分成形部２３の剛性を高めることができる。即ち、充填材の充填量を調節することにより、求める屈曲性や剛性を有する部分成形コルゲートチューブ２を製造することができ、配索時の自由度を向上させることができる。
【００２８】
なお、本発明は、前記実施形態に限定されるものではなく、本発明の目的が達成できる他の構成等を含み、以下に示すような変形等も本発明に含まれる。
【００２９】
例えば、前記実施形態においては、充填量を調節して４通りの部分成形部２３を形成しているが、充填厚ｄを無段階に調節することで、所望の屈曲性や剛性を有する部分成形部２３を形成することができる。
【００３０】
また、充填部２４の部位により、充填材の色を変えてもよい。充填材の色を変えることにより、ワイヤハーネスの用途別や種別による識別性を向上させることができ、利便性を高めることができる。このとき、充填装置６を複数設置することにより複数色の充填部２４を形成してもよいし、一台の充填装置６の内部において複数の充填ノズル６１を設置したり、充填材の流路を切り換えることにより複数色の充填部２４を形成してもよい。
【００３１】
部分成形部２３は、前記実施形態の充填部２４及び結合部２５と同形状の部材をあらかじめ一体に成形しておき、凹部２１及び凸部２２に接着することにより形成されてもよい。
【００３２】
その他、本発明を実施するための最良の構成、方法などは、以上の記載で開示されているが、本発明は、これに限定されるものではない。即ち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００３３】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３４】
１      部分成形コルゲートチューブ製造装置
２      部分成形コルゲートチューブ
３      繰出装置（繰出手段）
４      引取装置（引取手段）
６      充填装置（充填手段）
２１    凹部
２２    凸部
２３    部分成形部
２４    充填部
２５    連結部
Ｃ      コルゲートチューブ
【図１】
2014208403.tif 000003
【図２】
2014208403.tif 000004